【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
シフト・レジスタであって、
ゲートがプルアップノードとなる第1のノードに接続され、ソースがクロック信号端子に接続され、ドレーンが本段の出力端子に接続される第1の薄膜トランジスタと、
ゲートが下段のフィードバック信号端子に接続され、ソースが前記第1のノードに接続され、ドレーンがローレベル信号端子に接続される第2の薄膜トランジスタと、
ゲートが下段のフィードバック信号端子に接続され、ソースがプルダウンノードとなる第2のノードに接続され、ドレーンがローレベル信号端子に接続され、前述第2のノードが本段の出力端に接続される第3の薄膜トランジスタと、
前記第1のノードと本段の出力端子との間に接続されるコンデンサと、
上段のトリガー信号端子とクロック信号端子と前記第1のノードとの間に接続され、且つ本段のフィードバック信号端子と本段のトリガー信号端子とに接続されるフィードバックモジュールと、
クロック信号端子、前記フィードバックモジュールと本段の出力端子に接続され、且つローレベル信号端子に接続されるオン/オフモジュールと、を備え、
前記フィードバックモジュールは上段のフィードバックモジュールのトリガー信号とクロック信号を受信して前記第1のノードのレベルをプルアップし、且つ上段のシフト・レジスタにフィードバック信号を出力し、下段のフィードバックモジュールにトリガー信号を出力し、前記オン/オフモジュールは、本段のシフト・レジスタが動作しない時に、本段のシフト・レジスタの出力端子をローレベルに保持することを特徴とするシフト・レジスタ。
【請求項２】
前記フィードバックモジュールは、
ゲートが上段のフィードバックモジュールの第1のトリガー信号端子に接続され、ソースが第5の薄膜トランジスタのゲートに接続され、ドレーンがクロック信号端子に接続される第4の薄膜トランジスタと、
ゲートが第4の薄膜トランジスタのソースに接続され、ソースが前記第1のノードに接続され、ドレーンが上段のフィードバックモジュールの第2のトリガー信号端子に接続される第5の薄膜トランジスタと、
ゲートが前記第1のノードに接続され、ソースがクロック信号端子に接続され、ドレーンが本段のフィードバックノードとなる第3のノードに接続される第6の薄膜トランジスタとをさらに備えることを特徴とする請求項1に記載のシフト・レジスタ。
【請求項３】
前記オン/オフモジュールは、
ゲートとドレーンとが共に接続されてクロック信号端子に接続され、ソースが第2のオン/オフモジュールと第3のオン/オフモジュールとに接続される第7の薄膜トランジスタと、ゲートがクロック信号端子に接続され、ソースがインターロックノードとなる第4のノードに接続され、ドレーンがローレベル信号端子に接続される第8の薄膜トランジスタと、ゲートとソースとが共に接続されてクロック信号端子に接続され、ドレーンが前記第4のノードに接続される第9の薄膜トランジスタとを有し、後述の第1のオン/オフモジュール、第2のオン/オフモジュールおよび第3のオン/オフモジュールを制御する第1段のオン/オフモジュールと、
ゲートがクロック信号端子に接続され、ソースが前記第2のノードに接続され、ドレーンがローレベル信号端子に接続される第10の薄膜トランジスタと、ゲートが前記第4のノードに接続され、ソースが前記第2のノードに接続され、ドレーンがローレベル信号端子に接続される第11の薄膜トランジスタとを有し、本段のシフト・レジスタが動作しない時に、本段の出力端子をローレベルに保持する第1のオン/オフモジュールと、
ゲートが第7の薄膜トランジスタのソースに接続され、ソースが前記第1のノードに接続され、ドレーンが上段のフィードバックモジュールに接続される第12の薄膜トランジスタと、ゲートが前記第4のノードに接続され、ソースが前記第2のノードに接続され、ドレーンが前記第1のノードに接続される第13の薄膜トランジスタとを有し、本段のシフト・レジスタが動作しない時に、前記第1のノードをローレベルに保持する第2のオン/オフモジュールと、
ゲートが第7の薄膜トランジスタのソースに接続され、ソースが前記第3のノードに接続され、ドレーンがローレベル信号端子に接続される第14の薄膜トランジスタと、ゲートが前記第4のノードに接続され、ソースが前記第3のノードに接続され、ドレーンがローレベル信号端子に接続される第15の薄膜トランジスタとを有し、本段のシフト・レジスタが動作しない時に前記第3のノードをローレベルに保持する第3のオン/オフモジュールと、備えることを特徴とする請求項2に記載のシフト・レジスタ。
【請求項４】
ゲートがオン/オフ信号端子に接続され、ソースが前記第1のノードに接続され、ドレーンがローレベル信号端子に接続される第16の薄膜トランジスタをさらに備えることを特徴とする請求項1ないし3の何れかに記載のシフト・レジスタ。
【請求項５】
ゲートがオン/オフ信号端子に接続され、ソースがリセット信号端子に接続され、ドレーンが前記第2のノードに接続される第17の薄膜トランジスタを更に備えることを特徴とする請求項1ないし3のいずれかに記載のシフト・レジスタ。
【請求項６】
直列に接続された複数のシフト・レジスタを備えるゲートライン駆動装置であって、
前記シフト・レジスタは、
ゲートがプルアップノードとなる第1のノードに接続され、ソースがクロック信号端子に接続され、ドレーンが本段の出力端子に接続される第1の薄膜トランジスタと、
ゲートが下段のフィードバック信号端子に接続され、ソースが前記第1のノードに接続され、ドレーンがローレベル信号端子に接続される第2の薄膜トランジスタと、
ゲートが下段のフィードバック信号端子に接続され、ソースがプルダウンノードとなる第2のノードに接続され、ドレーンがローレベル信号端子に接続され、前述第2のノードが本段の出力端に接続される第3の薄膜トランジスタと、
前記第1のノードと本段の出力端子との間に接続されるコンデンサと、
上段のトリガー信号端子、クロック信号端子と前記第1のノードに接続され、且つ本段のフィードバック信号端子と本段のトリガー信号端子とに接続されるフィードバックモジュールと、
クロック信号端子と前記フィードバックモジュールと本段の出力端子との間に接続され、且つローレベル信号端子に接続されるオン/オフモジュールと、を備え、
前記フィードバックモジュールは上段のフィードバックモジュールのトリガー信号とクロック信号を受信して前記第1のノードのレベルをプルアップし、且つ上段のシフト・レジスタにフィードバック信号を出力し、下段のフィードバックモジュールにトリガー信号を出力し、前記オン/オフモジュールは、本段のシフト・レジスタが動作しない時に、本段のシフト・レジスタの出力端子をローレベルに保持することを特徴とするゲートライン駆動装置。
【請求項７】
前記フィードバックモジュールは、
ゲートが上段のフィードバックモジュールの第1のトリガー信号端子に接続され、ソースが第5の薄膜トランジスタのゲートに接続され、ドレーンがクロック信号端子に接続される第4の薄膜トランジスタと、
ゲートが第4の薄膜トランジスタのソースに接続され、ソースが前記第1のノードに接続され、ドレーンが上段のフィードバックモジュールの第2のトリガー信号端子に接続される第5の薄膜トランジスタと、
ゲートが前記第1のノードに接続され、ソースがクロック信号端子に接続され、ドレーンが本段のフィードバックノードとなる第3のノードに接続される第6の薄膜トランジスタとをさらに備えることを特徴とする請求項6に記載のゲートライン駆動装置。
【請求項８】
前記オン/オフモジュールは、
ゲートとドレーンとが共に接続されてクロック信号端子に接続され、ソースが第2のオン/オフモジュールと第3のオン/オフモジュールとに接続される第7の薄膜トランジスタと、ゲートがクロック信号端子に接続され、ソースがインターロックノードとなる第4のノードに接続され、ドレーンがローレベル信号端子に接続される第8の薄膜トランジスタと、ゲートとソースとが共に接続されてクロック信号端子に接続され、ドレーンが前記第4のノードに接続される第9の薄膜トランジスタとを有し、後述の第1のオン/オフモジュール、第2のオン/オフモジュールおよび第3のオン/オフモジュールを制御する第1段のオン/オフモジュールと、
ゲートがクロック信号端子に接続され、ソースが前記第2のノードに接続され、ドレーンがローレベル信号端子に接続される第10の薄膜トランジスタと、ゲートが前記第4のノードに接続され、ソースが前記第2のノードに接続され、ドレーンがローレベル信号端子に接続される第11の薄膜トランジスタとを有し、本段のシフト・レジスタが動作しない時に、本段の出力端子をローレベルに保持する第1のオン/オフモジュールと、
ゲートが第7の薄膜トランジスタのソースに接続され、ソースが前記第1のノードに接続され、ドレーンが上段のフィードバックモジュールに接続される第12の薄膜トランジスタと、ゲートが前記第4のノードに接続され、ソースが前記第2のノードに接続され、ドレーンが前記第1のノードに接続される第13の薄膜トランジスタとを有し、本段のシフト・レジスタが動作しない時に、前記第1のノードをローレベルに保持する第2のオン/オフモジュールと、
ゲートが第7の薄膜トランジスタのソースに接続され、ソースが前記第3のノードに接続され、ドレーンがローレベル信号端子に接続される第14の薄膜トランジスタと、ゲートが前記第4のノードに接続され、ソースが前記第3のノードに接続され、ドレーンがローレベル信号端子に接続される第15の薄膜トランジスタとを有し、本段のシフト・レジスタが動作しない時に前記第3のノードをローレベルに保持する第3のオン/オフモジュールと、を備えることを特徴とする請求項7に記載のゲートライン駆動装置。
【請求項９】
前記シフト・レジスタは、
ゲートがオン/オフ信号端子に接続され、ソースが前記第1のノードに接続され、ドレーンがローレベル信号端子に接続される第16の薄膜トランジスタをさらに備えることを特徴とする請求項6ないし8の何れかに記載のゲートライン駆動装置。
【請求項１０】
前記シフト・レジスタは、
ゲートがオン/オフ信号端子に接続され、ソースがリセット信号端子に接続され、ドレーンが前記第2のノードに接続される第17の薄膜トランジスタを更に備えることを特徴とする請求項6ないし8のいずれかに記載のゲートライン駆動装置。